(57)【要約】【課題】この発明は嗜好情報を反映させた録画予約情報を得る場合に、ユーザの操作を容易にした録画装置、録画装置の嗜好情報構築方法を提供する。【解決手段】  この発明は、録画予約番組リストに基づいて自動録画を行う装置において、ネットワークに接続される送受信部と、前記送受信部を介して他の録画装置から取込んだ嗜好情報が一旦そのまま設定される嗜好情報データベース部と、前記嗜好情報データベース部の嗜好情報を反映させた前記録画予約番組リストを保存する録画予約番組リスト部とを有する。【選択図】      図１
2010045516.tif 000002
【特許請求の範囲】
【請求項１】
録画予約番組リストに基づいて自動録画を行う装置において、
ネットワークに接続される送受信部と、
前記送受信部を介して他の録画装置から取込んだ嗜好情報が一旦そのまま設定される嗜好情報データベース部と、
前記嗜好情報データベース部の嗜好情報を反映させた前記録画予約番組リストを保存する録画予約番組リスト部と
を具備したことを特徴とする録画装置。
【請求項２】
さらに、前記嗜好情報データベース部の既存の嗜好情報と前記他の録画装置から取込んだ外部の嗜好情報とをマージした新規嗜好情報を作成し、前記新規嗜好情報を前記嗜好情報データベース部に設定する嗜好情報マージ部を有したことを特徴とする請求項１記載の録画装置。
【請求項３】
さらに、前記嗜好情報マージ部がマージする嗜好情報に対して、マージ用係数を入力するための嗜好情報マージ係数入力部を有したことを特徴とする請求項２記載の録画装置。
【請求項４】
前記マージ用係数は、嗜好情報を有する録画装置ごとに設定されることを特徴とする請求項３記載の録画装置。
【請求項５】
前記嗜好情報がユーザ毎に管理されており、前記マージ用係数は、前記ユーザ毎の嗜好情報に設定されることを特徴とする請求項３記載の録画装置。
【請求項６】
記嗜好情報データベース部の嗜好情報と前記他の録画装置から取込んだ嗜好情報とをマージを開始するきっかけとしては、ユーザ操作若しくは嗜好情報データベースの修正が行われたときのいずれかであることを特徴とする請求項３記載の録画装置。
【請求項７】
録画予約番組リストに基づいて自動録画を行う装置の嗜好情報構築方法において、
ネットワークに接続された送受信部を介して他の録画装置から嗜好情報を取込み、
取り込んだ前記嗜好情報を嗜好情報データベース部にそのまま設定し、
前記嗜好情報データベース部の嗜好情報を録画予約番組リストに反映させて録画予約番組リスト部に保存することを特徴とする録画装置の嗜好情報構築方法。
【請求項８】
さらに、前記嗜好情報データベース部の既存の嗜好情報と前記他の録画装置から取込んだ外部の嗜好情報とをマージした新規嗜好情報を作成し、前記新規嗜好情報を前記嗜好情報データベース部に設定することを特徴とする請求項７記載の録画装置の嗜好情報構築方法。
【請求項９】
さらに、前記嗜好情報マージ部がマージする嗜好情報に対して、マージ用係数を入力可能としたことを特徴とする請求項７記載の録画装置の嗜好情報構築方法。
【請求項１０】
前記マージ用係数は、嗜好情報を有する録画装置ごとに設定されるか、若しくは前記嗜好情報がユーザ毎に管理されている場合は、前記マージ用係数は、前記ユーザ毎の嗜好情報に設定可能であることを特徴とする請求項７記載の録画装置の嗜好情報構築方法。
【請求項１１】
複数の録画装置がネットワーク上で並列に接続されており、それぞれの録画装置は、
ネットワークに接続される送受信部と、
前記送受信部を介して他の録画装置から取込んだ嗜好情報が一旦そのまま設定される嗜好情報データベース部と、
前記嗜好情報データベース部の嗜好情報を反映させた前記録画予約番組リストを保存する録画予約番組リスト部と、
前記嗜好情報データベース部に既存の嗜好情報があるときは、この既存の嗜好情報と前記他の録画装置から取込んだ外部の嗜好情報とをマージした新規嗜好情報を作成し、前記新規嗜好情報を前記嗜好情報データベース部に設定する嗜好情報マージ部と
を有することを特徴とする録画装置のネットワークシステム。
【発明の詳細な説明】
【技術分野】
【０００１】
この発明は録画装置、録画装置の嗜好情報構築方法、及び録画装置のネットワークシステムに関する。
【背景技術】
【０００２】
録画装置においては、録画予約番組リストを事前に記憶媒体に構築し、自動録画を実現している。録画予約番組リストは、たとえば以下のように構築される。たとえば受信した電子番組案内情報（いわゆるＥＰＧ情報）から番組表データが作成される。ユーザの操作に応答して、番組表データが表示部に表示される。ユーザは、録画予約モードにおいて、表示部に表示された番組表の中から希望の録画予約番組を、リモートコントローラを操作しカーソルで指定し決定する。このような操作により、録画予約番組リストが構築される。
【０００３】
録画予約番組リストが構築されるとき、ユーザの嗜好情報も反映させる技術が開発されている（たとえば特許文献１）。また電子番組案内情報を利用して嗜好情報を構築する技術も開発されている（たとえば特許文献２）。ここでは自己のプロフィールに対して他者のプロフィールを拡張用として利用している。
【０００４】
いずれにして、録画装置の初期時には嗜好情報のデータベースは、ユーザ自身が地道に構築している。
【特許文献１】特開２００４−３５５１０９号
【特許文献１】特開２００５−５０４３９９号
【発明の開示】
【発明が解決しようとする課題】
【０００５】
この発明の１つの目的は、嗜好情報を反映させた録画予約情報を得る場合に、ユーザの操作を容易にした録画装置、録画装置の嗜好情報構築方法、及び録画装置のネットワークシステムを提供することにある。
【０００６】
またこの発明の他の目的は、ユーザ独自のオリジナルの嗜好情報を反映した録画予約情報を得る録画装置、録画装置の嗜好情報構築方法、及び録画装置のネットワークシステムを提供することにある。
【課題を解決するための手段】
【０００７】
上記課題を解決するために、録画予約番組リストに基づいて自動録画を行う装置において、ネットワークに接続される送受信部と、前記送受信部を介して他の録画装置から取込んだ嗜好情報が一旦そのまま設定される嗜好情報データベース部と、前記嗜好情報データベース部の嗜好情報を反映させた前記録画予約番組リストを保存する録画予約番組リスト部とを有する。
【発明の効果】
【０００８】
上記の手段によると、嗜好情報データベース部に対して、他の録画装置から取込んだ嗜好情報が一旦そのまま設定され、かつ、録画予約番組リストに、前記嗜好情報データベース部の嗜好情報が反映させされる。新規購入あるいは買い替えした録画装置であっても、ユーザは嗜好情報を構築するための地道な作業を何ら行うことなく、録画予約番組リストに嗜好情報が反映されていることになる。
【発明を実施するための最良の形態】
【０００９】
以下図面を参照して、この発明の実施の形態を説明する。図１には、この発明が適用された録画装置の使用例を示している。１１は、たとえば家庭内の伝送手段としてのネットワークである。このネットワーク１１には、複数の録画装置１００−Ｎ００が接続されている。
【００１０】
図１では、録画装置１００の内部構成を代表して示しているが、他の録画装置２００−Ｎ００も同様な構成である。録画装置１００を参照して基本的な構成を説明する。
【００１１】
アンテナからの放送信号は、チューナ部１０２に入力される。チューナ部１０２は、チャンネル選択、復調部、デジタル映像・音声信号処理部を含むものとする。チューナ部１０２の受信チャンネル及び番組選択は、ユーザによる操作に基づいて実行される他に、後述する録画予約番組リスト部１１０からの録画予約番組リスト情報に基づいて実行される。
【００１２】
予約番組の放送時間になるとチューナ部１０２は、予約番組を受信する。チューナ部１０２から出力された番組信号は、エンコーダ１０３に入力され、ＭＰＥＧ等の方式で圧縮される。エンコーダ部１０３は圧縮信号を所定のフォーマットに変換し、変換された信号はバス１２を介しハードディスクドライブ（ＨＤＤ）１０５に供給される。
【００１３】
映像出力部１０６がバス１２に接続されている。ハードディスクドライブ１０５から読み出された信号は、デコーダ部１０４でデコードされる。デコーダ部１０４から出力された映像・音声信号は、映像出力部１０６を介してたとえばテレビジョン受信装置ＴＶ１に供給される。
【００１４】
バス１２にはリモートコントロール信号受信部（以下リモコン受信部）１０１が接続されている。リモコン受信部１０１は、リモコン操作器Ｒ１からの操作信号を受信し、コントローラ１１５に転送する。なお操作信号は、キーボード等のその他のユーザインターフェースから入力されてもよい。
【００１５】
コントローラ１１５は、操作信号を解析し、操作内容を録画装置１００全体の動作に反映する。バス１２には、先の録画予約番組リスト部１１０が接続されている。録画予約番組リストは、録画番組リスト作成部１０９により作成される。録画番組リスト作成部１０９はユーザの操作により録画予約設定された番組情報を用いて番組リストを作成するとともに、嗜好情報データベース部１０７の嗜好情報データベースの内容を反映させた番組リストを作成する。
【００１６】
嗜好情報データベースは、例えば図２の（Ａ）−（Ｃ）のようなデータ構造の嗜好情報である。例えば図２（Ａ）の例であると、ジャンル別に項目が分類され、それぞれのジャンルに嗜好ポイントが付加されている。また図２（Ｂ）の例であると、キーワード別に項目が分類され、それぞれのキーワードに嗜好ポイントが付加されている。さらに図２（Ｃ）の例であると、出演者別に項目が分類され、それぞれの出演者に嗜好ポイントが付加されている。
【００１７】
嗜好情報データベースは、例えば、嗜好情報学習部１０８によって構築されている。嗜好情報学習部１０８は、ユーザが選択した番組情報、選択した番組情報の視聴時間、録画予約した番組情報、視聴回数などの情報に基づいて、各項目に嗜好ポイントを加算する。嗜好ポイントの値により、ユーザの嗜好が推測可能となる。嗜好情報データベースは、図２（Ａ）−図２（Ｃ）のいずれか１つのタイプが利用されてもよいし、複数のタイプが組み合わせて利用されていてもよい。なお、嗜好情報学習部１０８は、ユーザにより録画予約が行われた場合、また録画した番組が視聴された場合、また録画した番組が視聴されずに削除された場合などの各イベントで、嗜好情報データベースを更新する。
【００１８】
この実施の形態では、嗜好情報学習部１０８は、さらに嗜好情報マージ部１１２の情報を用いて、嗜好情報データベース部１０７のデータベースを再設定できるところに１つの特徴を備えている。また外部の録画装置からの嗜好情報をそのまま設定することができる。この処理機能は本録画装置を新規に購入したとき、つまり嗜好情報データベースが未だ構築されていないようなときに、有効に活用される。
【００１９】
外部の録画装置との情報の送受信を行うための嗜好情報送受信部１１１がバス１２に接続されている。嗜好情報送受信部１１１から取り込まれた外部嗜好情報は、嗜好情報マージ部１１２で、内部嗜好情報とマージされる。このマージが実行されるときに、嗜好情報マージ用係数が用いられる。嗜好情報マージ用係数は、嗜好情報マージ用係数入力部１１３のコントロールのもとでユーザが任意に設定可能である（この動作は、後でさらに詳しく説明する）。
【００２０】
図３は嗜好情報のコピーあるいは嗜好情報のマージが行われるときの動作例を説明する画面の例である。今、ユーザがリモコン操作器Ｒ１のメニューボタンを押すと、テレビジョン受信装置ＴＶ１にメニューが表示される。メニュー項目の中に嗜好情報設定メニューの項目が表示される。ユーザがリモコン操作器Ｒ１を操作し、嗜好情報設定メニューの項目にカーソルを合わせて決定ボタンを押すと、例えば図３に示すようなガイド画像２１が表示される。ガイド画像２１には、「嗜好情報をコピーできます」、「複数嗜好情報をマージできます」というような項目が表示されている。
【００２１】
ユーザが例えば「嗜好情報をコピーできます」という項目を選択し決定を行うと、ガイド画像２２が表示される。ここでは、ネットワークに接続されている外部の録画装置の識別表示が行われる。この表示例では、現在使用している録画装置がNo.1（１００）のため、他の録画装置２００，３００，４００、・・・が選択肢として示されている（ガイド画面２３）。ここでユーザが希望の録画装置を選択し決定を行うと、当該録画装置の嗜好情報データベース部の嗜好情報データベースが送信されてくる。受信された嗜好情報データベースは、現在使用している録画装置No.1内の嗜好情報データベース部１０７に格納される。このために、録画装置１００のユーザは、最初から地道に嗜好情報を構築する必要はなく、すでに構築されているデータベースを有効に活用することができる。
【００２２】
一方、ガイド画面２２において、「複数嗜好情報をマージできます」という項目を選択し、決定を行うと、ガイド画面２４が表示される。
【００２３】
ガイド画面２４では、ネットワークを介して接続されている録画装置１，２，３，４、・・・に対するマージ用係数入力部が表示される。このマージ用係数は、いずれの録画装置の嗜好ポイントに対してどれだけの重みをつけるかを設定するためのものである。図３の例であると、録画装置１００には０．５、録画装置２００には０．１、録画装置３００には０．２のマージ用係数が示されている。
【００２４】
図４は、複数嗜好情報がマージされるときの動作例を示すフローチャートである。ユーザにより嗜好情報再設定処理開始操作が行われると（ステップＳ０００：図３の「画像２１にて「複数嗜好情報をマージできます」の選択に対応）、嗜好情報送受信部が他の録画装置に対して嗜好情報送信を要求する（ステップＳ００１）。
【００２５】
嗜好情報送受信部１１１が他録画装置の嗜好情報を受信し、受信した嗜好情報を嗜好情報マージ部１１２に転送する（ステップＳ００２、Ｓ００３）。さらに別の録画装置がネットワーク上に接続されているかどうかを判定し（ステップＳ００４）、別の録画装置がネットワークに接続されている場合は、当該録画装置の嗜好情報が取り込まれる。ネットワーク上のすべての録画装置の嗜好情報が取り込まれると、嗜好情報マージ部１１２が、本録画装置１００内の嗜好情報を取得する（ステップＳ００５）。
【００２６】
次に、嗜好情報マージ用係数入力部１１３の動作に基づいて、図３に示したように、嗜好情報マージ用係数入力画像２３を表示する（ステップＳ００６）。ユーザにより、各録画装置毎にマージ係数が入力される。マージ係数が入力された後、決定ボタンが操作されると、嗜好情報マージ部１１２が各録画装置の嗜好情報とマージ係数を用いて、評価関数を処理し新たな嗜好情報を作成する（ステップＳ００７、Ｓ００８）。嗜好情報マージ部１１２は新たな嗜好情報を嗜好情報データベースに再設定する（ステップＳ００９）。
【００２７】
図５乃至図７は、嗜好情報のマージが行われるときの動作を説明するために示した図である。今、録画装置１００と２００の嗜好情報がマージされる例を説明する。図５（Ａ）は録画装置１００の嗜好情報であり、ニュース番組に対して嗜好ポイント１００、映画番組に対して嗜好ポイント２００が設定されている。一方、録画装置２００の嗜好情報では、ニュース番組に対して嗜好ポイント１５０、スポーツに対して嗜好ポイント４００が設定されている。録画装置１００で嗜好情報の再設定をするものとする。また本実施例では嗜好情報の種類はジャンルのみ説明する。他の嗜好情報の種類でも同様の処理である。
【００２８】
上記嗜好情報がマージされるときは、図６に示すように、まずマージする前に各録画装置の項目リストがチェックされて、マージ項目リストが作成される（ステップＳ００８０）。マージ項目リストは、上記の例では図７に示すように、「ニュース」、「スポーツ」、「映画」となる。次に図６に示すように、項目ごとに嗜好情報マージ用係数を用いた評価関数の演算が実行される。そして各項目の嗜好ポイントが計算される（ステップＳ００８１，Ｓ００８２）。
【００２９】
今、嗜好情報マージ用係数は、録画装置１００の嗜好情報ポイントに掛け合わせる係数が０．６、録画装置２００の嗜好情報に掛け合わせる係数が０．４であったとする。各項目の新規嗜好ポイントの演算は以下のようになる。
【００３０】
新規嗜好ポイント＝
録画装置１００の嗜好ポイント×録画装置２００に対応する嗜好情報マージ用係数
＋  録画装置２００の嗜好ポイント×録画装置２００に対応する嗜好情報マージ用係数
である。
【００３１】
例えば、上記条件のときのニュースの場合、
新規嗜好ポイント＝100×0.6＋150×0.4＝120
となる。
【００３２】
また、例えば上記条件のときの映画の場合、
新規嗜好ポイント＝200×0.6＋0×0.4＝120
となる。別の項目があれば、ステップＳ００８１に戻る。上記条件の場合、ニュース、映画、スポーツの項目に対して嗜好ポイントを計算すると終了する。
【００３３】
上記のフローの処理が終わると、図７のように新規嗜好情報が作成される。作成した新規嗜好情報は嗜好情報マージ部１１２により嗜好情報データベース１０７に再設定される。
【００３４】
この発明は上記の実施形態に限定されるものではない。上記の実施の形態では、嗜好情報のマージを行うとき、ネットワークに接続されているすべての録画装置の嗜好情報を取得している。しかし、録画装置は、嗜好情報データベースの転送を禁止可能な機能を有してもよい。
【００３５】
例えば、録画装置１００が録画装置２００から嗜好情報データベースの転送を拒否された場合、録画装置１００は録画装置２００に対する要求を止めて、次の録画装置３００に対して嗜好情報を要求する。つまりスキップ機能を有する。
【００３６】
また上記の説明では他の録画装置の嗜好情報のマージを開始するきっかけは、ユーザ操作によるもとして説明した。しかしこれに限らず、ネットワークに接続されるいずれかの録画装置の嗜好情報学習部１０８が嗜好情報データベースを更新したときをきっかけとしてもよい。外部の録画装置の嗜好情報データベースが更新されたか否かは、更新が有った否かを示す報知情報を例えば機器IDとともに定期的に相互にやり取りすることで可能である。
【００３７】
なお嗜好情報データベースが更新される場合としては、録画予約がユーザ操作により実行されたとき、録画した番組が実際に視聴されたとき、録画した番組が視聴されずに削除されたときなどイベントがあった場合である。
【００３８】
このようなときに、本録画装置は、自動的に外部の録画装置からの嗜好情報を取り込みマージ処理を実行してもよい。このような場合、マージ用係数は、予めメニュー画面を参照されて、入力済みであるものとする。または前回使用したものが再利用されてもよい。
【００３９】
図８は嗜好情報を管理する嗜好情報管理情報の一例を示している。嗜好情報管理情報は、嗜好情報管理情報ＩＤを有し、コントローラ１１５あるいは嗜好情報データベース部１０７の記憶領域に格納されている。嗜好情報管理情報は、さらにユーザ識別情報、転送プロテクトフラグ、項目分類状態の各情報を備える。
【００４０】
ユーザ識別情報は、この管理情報がユーザの区別なく共通に利用されるものであるのか、または複数のユーザ毎に利用されるものであるのかを識別するために利用される。今までの説明では、ユーザの区別なく共通に利用されるもの共通に利用されるものとして説明した。
【００４１】
さらに転送プロテクトフラグは、この装置の嗜好情報データベースの転送を許可しているのか、禁止しているのかを示す情報である。禁止フラグが記述されているときは、他の録画装置から転送要求があっても嗜好情報データベースを転送しない。
【００４２】
また管理情報には、項目分類状態を示す管理情報が存在してもよい。即ち、嗜好情報データベース（嗜好ポイント）が、ジャンル別、キーワード別、出演者別のいずれで分類されているのかを示す情報である。ジャンル別に分類されていた場合、ジャンル別情報サーチポインタが記述されており、ジャンル別嗜好情報の記述箇所を示している。この場合は、他のキーワード別、出演者別情報サーチポインタは例えば”ＦＦＦＦ”とされ無効に設定される。
【００４３】
また、管理情報にはユーザ別嗜好情報管理ＩＤが含まれていてもよい。即ち、ユーザ別嗜好情報管理ＩＤは、１つの録画装置を複数のユーザが利用するとき、ユーザ毎に嗜好情報を管理できるようにしたものである。ユーザは、この録画装置を使用するときは、例えばリモコン操作器Ｒ１を操作し、ユーザの識別情報を入力する。すると、嗜好情報がユーザ毎に分類されて管理される。ユーザ毎に嗜好情報が管理される場合も図３で示したようにユーザ毎のマージ用係数を入力することができる。
【００４４】
図９にはユーザ毎にマージ用係数を設定する際の表示される画像の例を示している。画像２１において、ユーザ毎のマージ用係数を設定する項目を選択し、決定ボタンを押すと、画像２３が現れる。画像２３においては録画装置１００に設定されているユーザ１、ユーザ２、ユーザ３のマージ用係数入力部が表示される。図においては、録画装置１００に設定されているユーザ１、ユーザ２のマージ用係数入力部が表示されている。さらなる別の録画装置に設定されているユーザに関して見たい場合は、画面下のほうが現れるようにカーソルキーを操作すればよい。なお簡略化のためにユーザ名は、Ｕ１，Ｕ２と示しているが、ユーザ名をローマ字あるいはひらがな、カタカナにより直接入力してもよい。
【００４５】
画像２２は、ユーザの嗜好情報を直接コピーする場合に、ユーザ選択を行う際に参照される画像である。所望のユーザの箇所をカーソルボタンで指定し、決定操作を行うことにより指定したユーザの嗜好情報を取り込むことができる。ただし、当該ユーザがコピー禁止フラグを設定していた場合には、コピー不可能である。
【００４６】
上記したようにこの発明によると、他の録画装置の嗜好情報をそのままコピーすることができ、嗜好情報を反映させた録画予約情報を得る場合に、ユーザの操作を容易にした録画装置を提供できる。またまたこの発明は、マージ係数をそれぞれの装置ごとあるいは他のユーザ毎に設定できる。このために使用するユーザ自身の独自のオリジナルの嗜好情報を反映した録画予約情報を得ることができる。
【００４７】
嗜好情報は送信側で暗号化され、受信側で復号化されるようにしてもよい。また嗜好情報をメモリカード（ＳＤカード）で入力するようにしてもよい。
【００４８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４９】
【図１】この発明が適用された録画装置の構成例と使用例を示す説明図である。
【図２】嗜好情報データベースのデータフォーマットの例を示す説明図である。
【図３】嗜好情報をコピーするときあるいはマージするときのガイド画像の例を示す図である。
【図４】本発明装置が嗜好情報をマージするときの動作例を示すフローチャートである。
【図５】本発明装置が嗜好情報をマージするときに使用される嗜好情報の例を示す図である。
【図６】本発明装置がマージ項目リストを作成する処理を示すフローチャートである。
【図７】本発明装置が作成した新規嗜好情報の例を示す図である。
【図８】本発明装置で使用される嗜好情報管理情報の例を示す説明図である。
【図９】さらに本発明装置の別の実施形態を説明するために示したガイド画像の例を示す図である。
【符号の説明】
【００５０】
１００、２００・・・録画装置、１０２・・・チューナ部、１０３・・・エンコーダ部、１０４・・・デコーダ部、１０５・・・ハードディスクドライブ、１０６・・・映像出力部、１０７・・・嗜好情報データベース部、１０８・・・嗜好情報学習部、１０９・・・録画番組リスト作成部、１１０・・・録画予約番組リスト部、１１１・・・嗜好情報送受信部。
【図１】
2010045516.tif 000003
【図２】
2010045516.tif 000004
【図３】
2010045516.tif 000005
【図４】
2010045516.tif 000006
【図５】
2010045516.tif 000007
【図６】
2010045516.tif 000008
【図７】
2010045516.tif 000009
【図８】
2010045516.tif 000010
【図９】
2010045516.tif 000011
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
録画予約番組リストに基づいて自動録画を行う装置において、
ネットワークに接続される送受信部と、
前記送受信部を介して他の録画装置から取込んだ嗜好情報が一旦そのまま設定される嗜好情報データベース部と、
前記取り込んだ嗜好情報に対して、マージ用係数を入力するための嗜好情報マージ係数入力部と、
前記嗜好情報データベース部の既存の嗜好情報と前記マージ用係数が与えられた嗜好情報とをマージした新規嗜好情報を作成し、前記新規嗜好情報を前記嗜好情報データベース部に設定する嗜好情報マージ部と、
前記嗜好情報データベース部の前記新規嗜好情報を録画予約情報に反映した前記録画予約番組リストを保存する録画予約番組リスト部と、
を具備したことを特徴とする録画装置。
【請求項２】
前記嗜好情報マージ係数入力部は、前記取り込んだ嗜好情報を取り込み先であるユーザ毎に管理しており、前記ユーザ毎の前記取り込んだ嗜好情報に対して、マージ用係数を入力することができることを特徴とする請求項１記載の録画装置。
【請求項３】
前記マージ用係数は、さらに嗜好情報の取り込み先である録画装置ごとに設定されることを特徴とする請求項２記載の録画装置。
【請求項４】
前記嗜好情報は、番組内容に応じて分類された複数の分類項目と、各項目に対して少なくとも視聴回数に応じて重み付けされた嗜好ポイントをテーブルとして有する情報であることを特徴とする請求項３記載の録画装置。
【請求項５】
録画予約番組リストに基づいて自動録画を行う装置の嗜好情報構築方法において、
ネットワークに接続された送受信部を介して他の録画装置から嗜好情報を取り込み、
取込んだ嗜好情報を嗜好情報データベース部にそのまま設定し、
前記取り込んだ嗜好情報に対して、マージ用係数を与え、
前記嗜好情報データベース部の既存の嗜好情報と前記マージ用係数が与えられた嗜好情報とをマージした新規嗜好情報を作成し、前記新規嗜好情報を前記嗜好情報データベース部に再設定し、
前記再設定された前記新規嗜好情報を録画予約情報に反映して録画予約番組リスト部に保存することを特徴とする録画装置の嗜好情報構築方法。
【請求項６】
前記嗜好情報は、番組内容に応じて分類された複数の分類項目と、各項目に対して少なくとも視聴回数に応じて重み付けされた嗜好ポイントをテーブルとして有する情報であることを特徴とする請求項５記載の録画装置の嗜好情報構築方法。
【請求項７】
前記取り込んだ嗜好情報を取り込み先であるユーザ毎に管理し、前記ユーザ毎の前記取り込んだ嗜好情報に対して、マージ用係数を与えることを特徴とする請求項４記載の録画装置の嗜好情報構築方法。
【請求項８】
請求項２記載の録画装置がネットワーク上で複数の並列接続されていることを特徴とする録画装置のネットワークシステム。
【手続補正２】
【補正対象書類名】明細書
【補正対象項目名】０００７
【補正方法】変更
【補正の内容】
【０００７】
上記課題を解決するために、録画予約番組リストに基づいて自動録画を行う装置において、ネットワークに接続される送受信部と、前記送受信部を介して他の録画装置から取込んだ嗜好情報が一旦そのまま設定される嗜好情報データベース部と、前記取り込んだ嗜好情報に対して、マージ用係数を入力するための嗜好情報マージ係数入力部と、前記嗜好情報データベース部の既存の嗜好情報と前記マージ用係数が与えられた嗜好情報とをマージした新規嗜好情報を作成し、前記新規嗜好情報を前記嗜好情報データベース部に設定する嗜好情報マージ部と、前記嗜好情報データベース部の前記新規嗜好情報を録画予約情報に反映した前記録画予約番組リストを保存する録画予約番組リスト部を有する。